(57)【特許請求の範囲】
【請求項１】
遊技媒体が流下可能な遊技領域が前面に形成され、透光性を有する遊技盤と、
前記遊技盤の前方に配置される不透光部と、
前記遊技盤の後方に配置され、最も前方に位置する最前端部が前記不透光部の後方に位置する役物と、を備え、
前記不透光部及び前記最前端部は、少なくとも２つずつ存在し、
２つの前記最前端部のそれぞれは、前記役物の前方の１つの対角線における互いに離れた部位の近傍に位置する、遊技機。
【請求項２】
遊技機における特定の範囲の振動を検出する検出部を更に備え、
前記最前端部は、前記検出部の振動検出範囲外に位置する
請求項１に記載の遊技機。
【発明の詳細な説明】
【技術分野】
【０００１】
遊技機に関する。
【背景技術】
【０００２】
パチンコ機等の遊技機においては、弾球された遊技球が遊技領域（遊技盤の表面に形成されて遊技球が流下可能な領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機において、遊技盤を透明に形成する構成が提案されている（例えば、特許文献１参照）。透明な遊技盤を用いると、遊技盤の後方が視認可能となるので、遊技盤の後方に装飾体や可動物等の役物（以下、「後方役物」とも記載する。）を配置し、遊技者に対して後方役物による高い装飾効果や演出効果を発揮させることができる。
【先行技術文献】
【特許文献】
【０００４】
【特許文献１】特開２０１１−２４０００２号公報
【発明の概要】
【発明が解決しようとする課題】
【０００５】
透明な遊技盤を用いる場合、遊技盤の後方に後方役物を配置することができるが、演出効果等を高めるために後方役物を大きくすると、遊技盤の後面と後方役物の先端部との空間は狭くなる。このように遊技盤の後面と後方役物の先端部との空間が狭くなると、例えば遊技釘を打ちつけたり遊技釘の位置を調整したりするときに遊技盤が後方に撓み、遊技盤の後面と後方役物の先端部とが接触して遊技盤の後面が傷つき、傷が前方から視認されるという問題が生じる。
【０００６】
本願発明は、上記の事情に鑑みて為されたもので、透光性を有する遊技盤を用い、かつその遊技盤の後方に役物を配置した場合において、その役物と遊技盤の後面とが接触しても接触による傷が前方から視認される可能性が低い遊技機を提供することを例示的課題とする。
【課題を解決するための手段】
【０００７】
上記の課題を解決するために、本願発明の例示的側面としての遊技機は、遊技媒体が流下可能な遊技領域が前面に形成され、透光性を有する遊技盤と、遊技盤の前方に配置される不透光部と、遊技盤の後方に配置され、最も前方に位置する最前端部が不透光部の後方に位置する役物とを含む。
【０００８】
本願発明の更なる目的又はその他の特徴は、以下添付図面を参照して説明される好ましい実施形態によって明らかにされるであろう。
【発明の効果】
【０００９】
透光性を有する遊技盤を用い、かつその遊技盤の後方に役物を配置した場合において、その役物と遊技盤の後面とが接触しても接触による傷が前方から視認される可能性が低い遊技機を提供することができる。
【図面の簡単な説明】
【００１０】
【図１】実施形態に係るパチンコ機の正面図である。
【図２】図１に示すパチンコ機の外観斜視図である。
【図３】図１に示すパチンコ機においてガラス枠を前方開放した状態の外観斜視図である。
【図４】前枠と遊技盤ユニットとを前後に分解した分解斜視図である。
【図５】（ａ）は図１に示すパチンコ機の円で囲まれた部分の拡大図であり、（ｂ）は図１に示すパチンコ機の遊技盤及び遊技盤より前方の部材を取り除いた状態において、（ａ）の円に後方に位置する部分を前方から見た図である。
【図６】図５（ａ）と図５（ｂ）とを重ねた図である。
【図７】（ａ）は図５（ｂ）に示す後方装飾部の斜視図であり、（ｂ）は（ａ）に示す後方装飾部の右側面図であって隠れ部（最前端部）が遊技盤の後面から離れた状態を模式的に示す図であり、（ｃ）は（ａ）に示す後方装飾部の右側面図であって隠れ部（最前端部）が遊技盤の後面に接触した状態を模式的に示す図である。
【図８】（ａ）は２つの隠れ部を含む後方装飾部の斜視図であり、（ｂ）は（ａ）に示す後方装飾部の右側面図であって隠れ部（最前端部）が遊技盤の後面から離れた状態を模式的に示す図であり、（ｃ）は（ａ）に示す後方装飾部の右側面図であって隠れ部（最前端部）が遊技盤の後面に接触した状態を模式的に示す図である。
【実施するための形態】
【００１１】
以下、実施形態について図面を用いて説明する。図１は、実施形態に係る遊技機としてのパチンコ機２の正面図であり、図２は、図１に示すパチンコ機２の外観斜視図である。
【００１２】
パチンコ機２は、遊技機枠３、遊技盤ユニット５、ガラス枠１２、発射ユニット（不図示）、球皿１４を有している。遊技盤ユニット５の一部である遊技盤６の表面に形成された遊技領域１６に向けて、発射ユニットによって１球ずつ遊技球（遊技媒体）２３が発射可能とされている。
【００１３】
パチンコ機２は、後述する発射装置ハンドル１５を遊技者が操作することによって、遊技領域１６に向けて遊技球２３が発射され、遊技球２３の流下による遊技が実現される。なお、遊技機は、パチンコ機２の他にパチンコ式スロットマシン機（いわゆるパロット機）、コインゲーム機等のアーケードマシン、各種ゲーム機を概念することができ、要するに、遊技媒体の流下による遊技を実現する遊技領域を有するあらゆる遊技機が含まれる。また、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機を概念することができる。
【００１４】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。また、遊技球２３が遊技領域１６を流下する場合、原則として流下方向（下方）が下流側であり、逆方向（上方）が上流側となるが、下流、上流の概念は上下に限定されず、あくまで遊技球２３の流下する方向を下流側と定義する。
【００１５】
パチンコ機２の遊技機枠３は、後述する遊技盤ユニット５を保持するためのもので、このパチンコ機２の周囲側面及び前方又はそれに加えて後方を囲むように構成される。遊技機枠３の内側には、遊技盤ユニット５の他にも各種制御基板や遊技球２３用の通過経路等各種機構部品が配置され、遊技機枠３によって周囲側面及び前方又はそれに加えて後方からのパチンコ機２内部側への不正アクセスが防止されるようになっている。
【００１６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００１７】
ガラス１０は、遊技盤６に対して一定距離以上離間して配置された透明板である。ガラス１０は、２枚の透明平板ガラスが前後に配置されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。ガラス枠１２には、略中央に大きく中央開口が形成されており、その中央開口の周囲を囲むように装飾部材３２が配置されており、中央開口を塞ぐようにガラス１０が配置されている。
【００１８】
球皿１４は、遊技者の持ち球を貯留するためにパチンコ機２の前面に配置された皿部材であって、本実施形態においては上球皿１４ａと下球皿１４ｂとを有している。上球皿１４ａは遊技盤６の下方、すなわちガラス枠１２の下方部分に配置され、下球皿１４ｂは、その上球皿１４ａの更に下方に配置されている。
【００１９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２０】
図３は、図１に示すパチンコ機２においてガラス枠１２を前方開放した状態の外観斜視図である。ガラス枠１２を前方開放すると、前枠９に保持された遊技盤ユニット５の遊技領域１６が前方に露出する。このパチンコ機２においては、前枠９の後方から遊技盤ユニット５が取り付けられ、前枠９の略中央に大きく開口形成された中央開口９ａに遊技領域１６が臨むようになっている。なお、このパチンコ機２では、中央開口９ａの内側面の一部が外レール２６ａとして機能しており、発射ユニットによって発射された遊技球２３が外レール２６ａによって遊技領域１６の上部に向けて案内されるようになっている。
【００２１】
図４は、前枠９と遊技盤ユニット５とを前後に分解した分解斜視図である。図４においては、遊技盤ユニット５も、遊技盤６、スペーサ（基盤部材）１１、後方ユニット１３に分解して示している。
【００２２】
前枠９は、ガラス枠１２の後方に位置し、ヒンジ２２を介して外枠４に軸支され、ヒンジ２２を中心として前後に揺動開閉可能とされている。前枠９の後方に遊技盤ユニット５が保持されるようになっており、前枠９の中央開口９ａから遊技領域１６が前方に臨むようになっている。遊技盤ユニット５は、前方ユニット８、遊技盤６、スペーサ１１、後方ユニット１３を有して大略構成されている。前方ユニット８は、遊技盤６の表面（遊技盤面）６ａに取り付けられる部品であり、例えば、遊技領域１６を囲むように配置されるレール飾り２６、遊技盤６に開口形成されたセンター開口６ｂの周囲を囲むセンター役物７、始動入賞口２９等を含む。
【００２３】
遊技盤６は、表面に遊技領域１６を形成する盤状部材であり、その略中央位置には、後方ユニット１３の一部や演出表示装置（不図示）を臨ませるためのセンター開口６ｂが形成されている。遊技盤面６ａには、流下する遊技球２３の流下経路を変更させることにより遊技を演出するための、多数の遊技釘や風車等（いずれも不図示）も配置されている。遊技盤６は、アクリル等の樹脂で形成され、かつ、透光性を有しており、特に本実施形態においては透明である。
【００２４】
スペーサ１１は、遊技盤６の後方に取り付けられる平板状の樹脂部材である。本実施形態においては、スペーサ１１は黒色であって不透光とされており、その後方が遊技者から視認できないようになっている。スペーサ１１は、図４に示すように、周囲において連続し、かつ中央が開口したいわゆるドーナツ形状を呈しており、遊技盤６の周囲における後面を支持している。またスペーサ１１は、側面の少なくとも一部を覆うように位置している。
【００２５】
スペーサ１１は、前枠９に遊技盤６を取り付ける際の補助部材として機能する。前枠９に取付け可能な遊技盤の前後方向における厚さは、本実施形態に係る遊技盤６の厚さよりも厚い。そのため、遊技盤６にスペーサ１１を取り付けて遊技盤ユニット５全体としての取付け部分における厚さを増大させて、前枠９に取付け可能な厚さと一致させている。それにより、この遊技盤６をスペーサ１１と共に前枠９に適正に取り付けることができるようになっている。
【００２６】
後方ユニット１３は、スペーサ１１の後方に取り付けられる遊技演出用の役物ユニットである。後方ユニット１３は、動作演出や光演出によって遊技者に対して演出を提供するためのもので、その一部がセンター開口６ｂから前方に露出するように配置されて遊技者に呈示される。また、後方ユニット１３の中央開口１３ａには、その後方に取り付けられる演出表示装置の表示面が位置するようになっている。この遊技盤６は透明であるので、センター開口６ｂ以外の部分においても遊技盤面６ａを透過してその後方にある後方ユニット１３が遊技者から視認できるようになっている。
【００２７】
図５（ａ）は図１に示すパチンコ機２の円Ｘで囲まれた部分の拡大図であり、図５（ｂ）は図１に示すパチンコ機２の遊技盤６及び遊技盤６より前方の部材を取り除いた状態において、図５（ａ）の円Ｘに後方に位置する部分を前方から見た図である。図５（ｂ）における円Ｘ´は、図５（ａ）における円Ｘと同じ大きさの円である。図６は、図５（ａ）と図５（ｂ）とを重ねた図である。図６では、図５（ａ）の部分を相対的に太線で示し、図５（ｂ）の部分を相対的に細線で示している。
【００２８】
図５（ａ）に示す通り、遊技盤６の前面には入賞口５１を含む入賞口ユニット５０が取り付けられる。入賞口ユニット５０は、入賞口５１の上方かつやや右方に設けられた前方装飾部（不透光部）５２を含む。前方装飾部５２は、不透光性を有しており、例えば透明な樹脂性部材の表面に金属がめっきされることにより形成されたものである。そのため、図５と図６とを比較すると明らかなように、前方装飾部５２の後方に配置される物は前方装飾部５２に隠れ、前方から視認されない。
【００２９】
図５（ｂ）に示す通り、遊技盤６における入賞口ユニット５０が取り付けられる位置の後方には、後方ユニット１３の一部としての後方装飾部（役物）５３が配置される。後方装飾部５３の大部分は、図６に示す通り前方装飾部５２に隠れることなく前方から視認され、装飾効果を発揮する。しかしながら、後方装飾部５３の一部は、図５と図６とを比較すると明らかなように、前方装飾部５２に隠れ、前方から視認されない。以下では、後方装飾部５３において前方装飾部５２に隠れる部分を、隠れ部（最前端部）５３ａと記載する。
【００３０】
図７（ａ）は図５（ｂ）に示す後方装飾部５３の斜視図であり、図７（ｂ）は図７（ａ）に示す後方装飾部５３の右側面図であって隠れ部（最前端部）５３ａが遊技盤６の後面から離れた状態を模式的に示す図であり、図７（ｃ）は図７（ａ）に示す後方装飾部５３の右側面図であって隠れ部（最前端部）５３ａが遊技盤６の後面に接触した状態を模式的に示す図である。図７に示す通り、後方装飾部５３における隠れ部５３ａは、後方装飾部５３における隠れ部５３ａ以外の部分より前方に突出している。すなわち、隠れ部５３ａは、後方装飾部５３において最も前方（遊技盤６の後面より）に位置している。
【００３１】
上述の通り遊技盤６はアクリル等の樹脂で形成されていて透光性を有するので、遊技盤６の後方に配置した役物を前方から視認することができる。そのため、より高い演出効果又は高い装飾効果を発揮させるために、図７（ｂ）に示すように、遊技盤６の後方に後方装飾部５３を含む後方ユニット１３が配置される。更に高い演出効果又は装飾効果を発揮させるために、後方ユニット１３の全体又は後方ユニット１３における特定の役物は肥大化される可能性があり、その場合、遊技盤６の後面と後方ユニット１３の前端部との空間は狭くなる。
【００３２】
遊技盤６における遊技領域１６に遊技釘を打ち付ける際や遊戯釘の位置等を調整する際に、遊技盤６が後方に撓むことがある。また、後方ユニット１３を遊技盤６に組み付ける際にも遊技盤６が後方に撓むことがある。遊技盤６の後面と後方ユニット１３の前端部との空間が狭いと、遊技盤６が後方に撓んだとき、図７（ｃ）に示すように、遊技盤６の後面と後方装飾部５３とが接触する可能性がある。また、後方ユニット１３における可動役物が動く際にも、図７（ｃ）に示すように、遊技盤６の後面と後方装飾部５３とが接触する可能性がある。更にまた、パチンコ機２をある場所から別の場所に移動する際、後方装飾部５３に対して後方から前方へ何らかの外力が加わって後方装飾部５３が一時的にわずかな量だけ前方に動く可能性があり、後方装飾部５３が前方に動くと、図７（ｃ）に示すように、遊技盤６の後面と後方装飾部５３とが接触する可能性がある。このように、遊技盤６の後面と後方装飾部５３とが接触すると、遊技盤６の後面において後方装飾部５３と接触した部位は傷つく可能性がある。
【００３３】
本実施形態では、隠れ部５３ａは後方装飾部５３において最も前方に位置している。そのため、仮に遊技盤６が後方に撓んだりして遊技盤６の後面と後方装飾部５３とが接触することがあったとしても、後方装飾部５３における隠れ部５３ａが遊技盤６の後面に接触する可能性が高くなる。隠れ部５３ａが遊技盤６の後面と接触すると、隠れ部５３ａが、遊技盤６からの押力又は抗力を受け止め、それにより、後方装飾部５３における隠れ部５３ａ以外の部分が遊技盤６の後面に接触する可能性を低くすることができる。すなわち、隠れ部５３ａは衝撃受容部として機能する。
【００３４】
上述の通り隠れ部５３ａは前方装飾部５２に隠れ、前方から視認されない。したがって、たとえ隠れ部５３ａが遊技盤６の後面と接触して遊技盤６の後面が傷ついても、傷つきは前方から視認されない。加えて、遊技盤６の後面が傷つくことにより遊技盤６が削られて樹脂粉末が発生したとしても、傷ついた部分は前方装飾部５２に隠れるので、樹脂粉末が前方から視認される可能性を低くすることができる。
【００３５】
なお、上述した実施形態１では、後方装飾部５３が１つの隠れ部５３ａを含む場合を説明した。しかしながら、後方装飾部５３は２つ以上の隠れ部５３ａを含んでもよい。図８（ａ）は２つの隠れ部５３ａを含む後方装飾部５３の斜視図であり、図８（ｂ）は図８（ａ）に示す後方装飾部５３の右側面図であって隠れ部（最前端部）５３ａが遊技盤６の後面から離れた状態を模式的に示す図であり、図８（ｃ）は図８（ａ）に示す後方装飾部５３の右側面図であって隠れ部（最前端部）５３ａが遊技盤６の後面に接触した状態を模式的に示す図である。図８に示すように、後方装飾部５３が２つ以上の隠れ部５３ａを含む場合、２つ以上の隠れ部５３ａが遊技盤６の後面と接触し、隠れ部５３ａが１つしか設けられていないときよりも安定した状態で、各隠れ部５３ａは遊技盤６からの押力又は抗力を受け止める可能性が高くなる。そのため、後方装飾部５３における隠れ部５３ａ以外の部分が遊技盤６と接触する可能性をより低くすることができる。
【００３６】
ここで、２つ以上の隠れ部５３ａが、いずれも遊技盤６の前方に配置されて不透光部として機能する役物やレール飾り２６等の後方に位置することを想定する。その場合、たとえ２つの隠れ部５３ａが遊技盤６の後面と接触して遊技盤６の後面が傷ついても、傷は前方から視認されない。加えて、遊技盤６の後面が傷つくことにより遊技盤６が削られて樹脂粉末が発生したとしても、傷ついた部分は役物やレール飾り２６等の不透光部に隠れるので、樹脂粉末が前方から視認される可能性を低くすることができる。更に、２つ以上の隠れ部５３ａは、隠れ部５３ａが１つしか設けられていない場合に比べて、遊技盤６の後面からの押力又は抗力を分散して受け止めるので傷つきの蓄積を防止することができる。更にまた、２つ以上の隠れ部５３ａは遊技盤６の後面からの押力又は抗力を分散して受け止めるので、後方装飾部５３における隠れ部５３ａ以外の部位や後方ユニット１３における後方装飾部５３以外の部位が遊技盤６の後面と接触して傷つく可能性を低減することができる。
【００３７】
後方装飾部５３が２つの隠れ部５３ａを含む場合、それら２つの隠れ部５３ａは、後方装飾部５３の前面における１つの対角線上の互いに離れた位置の近傍に形成されることが望ましい。その場合、２つの隠れ部５３ａは遊技盤６の後面とより安定した状態で接触する可能性が高くなり、後方装飾部５３における隠れ部５３ａ以外の部分が遊技盤６と接触する可能性を更に低くすることができる。後方装飾部５３ではなく後方ユニット１３全体について、２つの隠れ部５３ａが後方ユニット１３の前面における１つの対角線上の互いに離れた位置の近傍に形成されてもよい。その場合においても、２つの隠れ部５３ａは遊技盤６の後面とより安定した状態で接触し、後方ユニット１３における隠れ部５３ａ以外の部分が遊技盤６と接触する可能性を更に低くすることができる。
【００３８】
多くのパチンコ機２には、ガラス１０が繰り返し殴打されること等により無理な外力が加えられるといった不正行為が行われた際の振動を検出するために、パチンコ機２の後面に、振動検出センサ（検出部）（不図示）が設けられる。上述の通り遊技領域１６に遊技釘を打ち付ける際又は遊技釘の位置等を調整する際に遊技盤６が後方に撓むことがあるが、遊技釘を打ち付けたり調整したりする行為は不正行為ではない。隠れ部５３ａが振動検出センサの近傍に設けられると、遊技釘を打ち付ける等の不正行為でない行為が行われているのにも関わらず、遊技盤６が後方に撓むことにより遊技盤６の後面と隠れ部５３ａとが接触し、その接触によりパチンコ機２に振動が生じたことを振動検出センサが検出する可能性がある。正常な行為が行われているときに振動検出センサによって振動が検出されないようにするために、隠れ部５３ａは振動検出センサの近傍以外に設けられることが望ましい。更に言うと、隠れ部５３ａは振動検出センサの振動検出範囲外に設けられることが望ましい。そのようにすると、不正行為によらない遊技盤６の振動が検出されることを抑制することができる。
【００３９】
隠れ部５３ａは、遊技領域１６の外側に設けられることが望ましい。遊技者は遊技領域１６の外側よりも内側を注視するので、遊技盤６の後面において隠れ部５３ａと接触した部分から発生した樹脂粉末が前方から視認される可能性を低くすることができる。加えて、遊技盤６を変えずに後方ユニット１３のみを取り替えた場合、隠れ部５３ａと接触することによって遊技盤６の後面に生じた傷が前方から視認される可能性をより低くすることができる。
【００４０】
上述した実施形態では、隠れ部５３ａは意匠としての後方装飾部５３の一部である。しかしながら、隠れ部５３ａは、後方装飾部５３を含む後方ユニット１３の意匠の一部に限定されない。隠れ部５３ａは後方ユニット１３と連続し、役物又は役物に連続する物のうちで、最も遊技盤６の後面に近い物を意味する。すなわち、隠れ部５３ａは後方ユニット１３のうちの前方に最も突出した物を意味する。
【００４１】
上述した実施形態では、前方装飾部５２は不透光部の一例である。しかしながら、不透光部は前方装飾部５２に限定されない。不透光部は、遊技盤６の前方に配置されて不透光性を有するものであればよい。
【符号の説明】
【００４２】
２：パチンコ機（遊技機）
３：遊技機枠
４：外枠
５：遊技盤ユニット
６：遊技盤
６ａ：表面（遊技盤面）
６ｂ：センター開口
７：センター役物（前方ユニットの一部）
８：前方ユニット
９：前枠
９ａ：中央開口
１０：ガラス
１１：スペーサ（基盤部材）
１２：ガラス枠
１３：後方ユニット
１３ａ：中央開口
１４：球皿
１４ａ：上球皿
１４ｂ：下球皿
１５：発射装置ハンドル
１６：遊技領域
２２：ヒンジ
２３：遊技球（遊技媒体）
２６：レール飾り（前方ユニットの一部）
２６ａ：外レール
２９：始動入賞口（前方ユニットの一部）
３２：装飾部材
５０：入賞口ユニット
５１：入賞口
５２：前方装飾部（不透光部）
５３：後方装飾部（役物）
５３ａ：隠れ部（最前端部）
Ｘ，Ｘ´：円
【図１】
0005924810.tif 000002
【図２】
0005924810.tif 000003
【図３】
0005924810.tif 000004
【図４】
0005924810.tif 000005
【図５】
0005924810.tif 000006
【図６】
0005924810.tif 000007
【図７】
0005924810.tif 000008
【図８】
0005924810.tif 000009